(57)【特許請求の範囲】
【請求項１】
音高順に並設された複数の鍵の下方に揺動自在に保持されてなり自重により前記鍵を上方に付勢するハンマーにあって、前記ハンマー内に複数の除肉部を選択的に形成できる金型とし、前記ハンマーの揺動支点から距離の異なる位置にある前記除肉部を選択することにより、前記ハンマーの重さを前記鍵の並設領域区分に応じて異ならせた構成とし、前記除肉部を前記ハンマーの下端部に欠き取り形状として設け、前記ハンマーの下方より突起物を前記欠き取り内へ侵入させることにより、異なる重さの前記ハンマーが誤って所定外の位置に実装されないよう構成したことを特徴とする楽器用鍵盤装置。
【発明の詳細な説明】
【０００１】
【発明の属する技術分野】
本発明は、電子ピアノなどの鍵盤楽器に用いるのに適した楽器用鍵盤装置に関する。
【０００２】
【従来の技術】
近年、電子ピアノなどの鍵盤楽器においてはアコースティックピアノに近いタッチを実現する取組みが行われているが、アコースティックピアノのように鍵の押し下げ力が低音部は大きく、高音部にかけて音高順に次第に変化して小さくなるタッチを量産性に優れた工法で実現することは難しかった。
【０００３】
以下図面を参照しながら、上述した従来の楽器用鍵盤装置について説明する。
【０００４】
図４は従来の楽器用鍵盤装置の主要断面図である。図４において、２１は鍵、２２はシャーシで、シャーシ２２の支点部２２ａに鍵支点部２１ａを係合し、回動支点としている。２３はハンマーでガラス繊維で強化した樹脂等で作られており、後端には鉛で作られたウエイト部材２４が固着されている。中央支点部２３ａはシャーシ２２に固設した支点部材２５に回動自在に支持されている。２６はハンマー２３の一端に被装したゴム等の軟質材料で作られたキャップで、このキャップ２６を介して鍵２１の回動がハンマー２３に同期する。２７は鍵２１とハンマー２３に張架した板バネで、ハンマー２３を図４において時計方向に回動付勢する。そのため、鍵２１はハンマー２３により押し上げられ、上方に付勢される。２８はスイッチ部材で、ハンマー２３のアクチュエータ部２３ｂによって押し下げられ、スイッチがＯＮすると、楽音制御回路が動作して楽音が演奏される。
【０００５】
【発明が解決しようとする課題】
しかしながら、上記の従来の構成において、鍵２１の押し下げ力を音高順に変化させるためには、大きさの異なるウエイト部材２４をハンマー２３に固着し、複数種のハンマー２３を製作し、鍵２１の並設領域区分に合わせて所定位置に実装する必要がある。
【０００６】
従って、大きさの異なるウエイト部材２４を成形する複数の金型を製作しなければならないため多額の金型投資となる。また、大きさの異なるウエイト部材２４が固着された複数種のハンマー２３を所定位置に実装する時、誤実装が発生し易く、これを防止する手段がない、という課題があった。
【０００７】
本発明は上記の従来の課題を解決するもので、一面の金型で複数種のハンマーを製作でき、異なる重さのハンマーが所定外の位置に誤って実装されるのを防止することを目的とする。
【０００８】
【課題を解決するための手段】
この目的を達成するために本発明の楽器用鍵盤装置は、ハンマー内に複数の除肉部を選択的に形成できる金型とし、ハンマーの揺動支点から距離の異なる位置にある除肉部を選択することにより、ハンマーの重さを鍵の並設領域区分に応じて異ならせた構成とし、除肉部をハンマーの下端部に欠き取り形状として設け、ハンマーの下方より突起物を前記欠き取り内へ侵入させることにより、異なる重さのハンマーが誤って所定外の位置に実装されないよう構成したことにより、一面の金型で複数種のハンマーを製作でき、量産性向上と金型投資が少なくできると共に、異なる重さのハンマーが所定外の位置に誤って実装されることを防止できるため、製造工程の作業不良が減少し、量産性が向上する。
【０００９】
【発明の実施の形態】
以下本発明の一実施例について図面を参照しながら説明する。
【００１０】
図１は本発明の一実施例における楽器用鍵盤装置の主要断面図である。図１において、１は鍵、２はシャーシで、シャーシ２の支点部２ａに鍵支点部１ａを係合し、回動支点としている。３はハンマーであり、鉄板等の比較的重量の大きい素材を順送プレス金型にて加工しており、下端部の欠き取り３ａ、３ｂ、３ｃを選択的に形成できる入れ子式の金型構造としている。欠き取り３ａ、３ｂ、３ｃからハンマー揺動支点Ａまでの距離はそれぞれ異なるため、ハンマー自重により鍵盤１を上方へ押し上げる力もそれぞれ異なる。つまり、４種類の重さの異なるハンマーが形成でき、重い順から述べると１＝欠き取りのないもの、２＝欠き取り３ａのみ形成したもの、３＝欠き取り３ｂのみ形成したもの、４＝欠き取り３ｃのみ形成したものとなる。電子ピアノの場合、鍵１の数量は８８鍵であり、８８鍵内の任意の位置で４領域に区分し、低音部側から上記１〜４の順でハンマー３を並設すれば、アコースティックピアノのように鍵１の押し下げ力が低音部では大きく、高音部にかけて音高順に段階的に変化して小さくなるタッチが実現できる。４はハンマーカバーであり、ハンマー３に被装され、シャーシ２に個設した支点部材５に回動自在に支持されている。６はハンマー３の一端に被装したゴム等の軟質材料で作られたキャップで、このキャップ６を介して鍵１の回動がハンマー３に同期する。７は鍵１とハンマー３に張架した板バネで、ハンマー３を図１において時計方向に回動付勢する。そのため、鍵１はハンマー３により押し上げられ、上方に付勢される。８はスイッチ部材で、ハンマーカバー４のアクチュエータ部４ａによって押し下げられ、スイッチがＯＮすると、楽音制御回路が動作して楽音が演奏される。９は鍵盤組立工程で使用するパレット（鍵盤台）で、ハンマー３に選択的に形成した欠き取り３ａ、３ｂ、３ｃ内へ侵入する突起部９ａ、９ｂ、９ｃを並設領域区分と同期して形成することにより、異なる重さのハンマーが所定外の位置に誤って実装されるのを防止している。
【００１１】
図２は図１のハンマー３の単品形状図である。図２において、ハンマー３の下端部は必要な重量を付与するため、金型内で１８０°の角度に曲げられており、欠き取り３ａ、３ｂ、３ｃは曲げ部を形成する前工程（曲げを展開した状態）で入れ子型により選択的に打ち分けられる。
【００１２】
図３は図２のハンマー３の順送プレス金型のステージレイアウト図である。図３において、ステージＮＯ．３は欠き取り３ａの有無を、ステージＮＯ．４は欠き取り３ｂの有無を、ステージＮＯ．５は欠き取り３ｃの有無を、それぞれ入れ子パンチの出し入れで選択的に打ち分けることができる。
【００１３】
以上のように本実施例によれば、一面の金型で複数種のハンマーを製作でき、異なる重さのハンマーが所定外の位置に誤って実装されるのを防止することができる。
【００１４】
【発明の効果】
以上のように本発明は、ハンマー内に複数の除肉部を選択的に形成できる金型とし、ハンマーの揺動支点から距離の異なる位置にある除肉部を選択することにより、ハンマーの重さを鍵の並設領域区分に応じて異ならせることができるため、一面の金型で複数種のハンマーを製作でき、量産性向上と金型投資が少なくできと共に、除肉部をハンマーの下端部に欠き取り形状として設け、ハンマーの下方より突起物を欠き取り内へ侵入させることにより、異なる重さのハンマーが所定外の位置に誤って実装されることを防止できるため、製造工程の作業不良が減少し、量産性が向上する。
【図面の簡単な説明】
【図１】本発明の一実施例における楽器用鍵盤装置の主要断面図
【図２】図１のハンマー単品形状図
【図３】図２のハンマー順送プレス金型のステージレイアウト図
【図４】従来の楽器用鍵盤装置の主要断面図
【符号の説明】
１  鍵
２  シャーシ
３  ハンマー
３ａ，３ｂ，３ｃ  欠き取り部
４  ハンマーカバー
５  支点部材
６  キャップ
７  板バネ
８  スイッチ部材
９  パレット
９ａ，９ｂ，９ｃ  突起部
【図１】
0003750489.tif 000002
【図２】
0003750489.tif 000003
【図３】
0003750489.tif 000004
【図４】
0003750489.tif 000005